(57)【要約】  軸線を水平にして配置された筒状の遮断器タンク本体の一端部の側面上部にて上方に引き出された引出口１ａが設けられると共に前記タンク本体の他端部にて軸線方向に沿って水平に引き出された引出口１ｂが設けられた遮断器タンクの内部に遮断部が配置されて通電経路が概略Ｌ形を成す遮断器１と、引出口１ａを介して遮断器１と接続された母線側機器群と、引出口１ｂを介して遮断器１と接続された線路側機器群とを備えたガス絶縁開閉装置を提供する。これにより、遮断器１に接続される機器の低層化を図り、耐震性を向上させることができる。
2013186830.tif 000002
【特許請求の範囲】
【請求項１】
軸線を水平にして配置された筒状の遮断器タンク本体の一端部の側面上部にて上方に引き出された第１の引出口が設けられると共に前記タンク本体の他端部にて軸線方向に沿って水平に引き出された第２の引出口が設けられた遮断器タンクの内部に遮断部が配置されて通電経路が概略Ｌ形を成す遮断器と、
前記第１の引出口を介して前記遮断器と接続された母線側機器群と、
前記第２の引出口を介して前記遮断器と接続された線路側機器群と、
を備えることを特徴とするガス絶縁開閉装置。
【請求項２】
前記母線側機器群には、前記第１の引出口に接続され前記遮断器の上部に配置された第１の計器用変流器と、この第１の計器用変流器に接続され当該第１の計器用変流器の上部に配置された第１のブッシングとが含まれ、
前記線路側機器群には、前記第２の引出口に接続され前記遮断器に対して横置に配置された第２の計器用変流器と、この第２の計器用変流器に接続され当該第２の計器用変流器に対して横置に配置された断路器と、この断路器に接続され当該断路器の上部に配置された第２のブッシングとが含まれることを特徴とする請求項１に記載のガス絶縁開閉装置。
【請求項３】
前記母線側機器群には、前記第１の引出口に接続され前記遮断器の上部に配置された第１の計器用変流器と、この第１の計器用変流器に接続され当該第１の計器用変流器の上部に配置された第１のブッシングとが含まれ、
前記線路側機器群には、前記第２の引出口に接続され前記遮断器に対して横置に配置された断路器と、この断路器に接続され当該断路器の上部に配置された第２の計器用変流器と、この第２の計器用変流器に接続され当該計器用変流器の直上に配置された第２のブッシングとが含まれることを特徴とする請求項１に記載のガス絶縁開閉装置。
【請求項４】
前記軸線方向における前記ガス絶縁開閉装置の長さは前記ガス絶縁開閉装置の高さ以上であることを特徴とする請求項２又は３に記載のガス絶縁開閉装置。
【請求項５】
前記線路側機器群には、遮断器接地用の接地開閉器と、前記第２のブッシングに接続される送電線接地用の接地開閉器とが含まれ、
前記断路器は、断路器本体と前記遮断器接地用の接地開閉器とが一体的に構成されたものであることを特徴とする請求項２又は３に記載のガス絶縁開閉装置。
【発明の詳細な説明】
【技術分野】
【０００１】
この発明は、ガス絶縁開閉装置に関するものである。
【背景技術】
【０００２】
従来のガス絶縁開閉装置では、水平配置されたいわゆる横形の遮断器の上部に設けられた二つの分岐引出口にそれぞれ計器用変流器等の機器を積層配置する構成のものが知られている。【０００３】
例えば特許文献１では、横形の遮断器の上部に二つの分岐引出口が設けられ、それぞれの分岐引出口には断路器、接地開閉器、計器用変流器、及びブッシングが積層配置されている。
【先行技術文献】
【特許文献】
【０００４】
【特許文献１】実開平４−３３２３７号公報
【発明の概要】
【発明が解決しようとする課題】
【０００５】
しかしながら、上記従来のガス絶縁開閉装置では、遮断器の上部に機器が集積配置されるので、重心の高さが全体として高くなり、耐震性が低下するという問題があった。【０００６】
この発明は、上記に鑑みてなされたものであって、遮断器に接続される機器の低層化を図り、耐震性を向上させることが可能なガス絶縁開閉装置を提供することを目的とする。
【課題を解決するための手段】
【０００７】
上述した課題を解決し、目的を達成するために、本発明に係るガス絶縁開閉装置は、軸線を水平にして配置された筒状の遮断器タンク本体の一端部の側面上部にて上方に引き出された第１の引出口が設けられると共に前記タンク本体の他端部にて軸線方向に沿って水平に引き出された第２の引出口が設けられた遮断器タンクの内部に遮断部が配置されて通電経路が概略Ｌ形を成す遮断器と、前記第１の引出口を介して前記遮断器と接続された母線側機器群と、前記第２の引出口を介して前記遮断器と接続された線路側機器群と、を備えることを特徴とする。
【発明の効果】
【０００８】
本発明によれば、遮断器に接続される機器の低層化を図り、耐震性を向上させことができる、という効果を奏する。
【図面の簡単な説明】
【０００９】
【図１】図１は、実施の形態１に係るガス絶縁開閉装置の側面図である。
【図２】図２は、実施の形態１に係るガス絶縁開閉装置を線路側からみたときの図である。
【図３】図３は、実施の形態１に係るガス絶縁開閉装置を母線側からみたときの図である。
【図４】図４は、実施の形態１に係るガス絶縁開閉装置の上面図である。
【図５】図５は、実施の形態１に係るガス絶縁開閉装置の単線結線図である。
【図６】図６は、図１における主要機器の内部構成を示した図である。
【図７】図７は、実施の形態２に係るガス絶縁開閉装置の側面図である。
【図８】図８は、実施の形態２に係るガス絶縁開閉装置を線路側からみたときの図である。
【図９】図９は、実施の形態２に係るガス絶縁開閉装置を母線側からみたときの図である。
【図１０】図１０は、実施の形態２に係るガス絶縁開閉装置の上面図である。
【図１１】図１１は、実施の形態２に係るガス絶縁開閉装置の単線結線図である。
【図１２】図１２は、図７における主要機器の内部構成を示した図である。
【図１３】図１３は、実施の形態３に係るガス絶縁開閉装置の側面図である。
【図１４】図１４は、実施の形態３に係るガス絶縁開閉装置を線路側からみたときの図である。
【図１５】図１５は、実施の形態３に係るガス絶縁開閉装置を母線側からみたときの図である。
【図１６】図１６は、実施の形態３に係るガス絶縁開閉装置の上面図である。
【図１７】図１７は、実施の形態３に係るガス絶縁開閉装置の単線結線図である。
【図１８】図１８は、実施の形態４に係るガス絶縁開閉装置の側面図である。
【図１９】図１９は、実施の形態４に係るガス絶縁開閉装置を線路側からみたときの図である。
【図２０】図２０は、実施の形態４に係るガス絶縁開閉装置を母線側からみたときの図である。
【図２１】図２１は、実施の形態４に係るガス絶縁開閉装置の上面図である。
【図２２】図２２は、実施の形態４に係るガス絶縁開閉装置の単線結線図である。
【図２３】図２３は、従来のガス絶縁開閉装置の側面図である。
【図２４】図２４は、従来のガス絶縁開閉装置を母線側からみたときの図である。
【図２５】図２５は、従来のガス絶縁開閉装置を線路側からみたときの図である。
【図２６】図２６は、実施の形態１に係るガス絶縁開閉装置における通電経路の一部を示した図である。
【図２７】図２７は、従来のガス絶縁開閉装置における通電経路の一部を示した図である。
【発明を実施するための形態】
【００１０】
以下に、本発明に係るガス絶縁開閉装置の実施の形態を図面に基づいて詳細に説明する。なお、この実施の形態によりこの発明が限定されるものではない。
【００１１】
実施の形態１．
図１は、本実施の形態に係るガス絶縁開閉装置の側面図、図２は、本実施の形態に係るガス絶縁開閉装置を線路側からみたときの図、図３は、本実施の形態に係るガス絶縁開閉装置を母線側からみたときの図、図４は、本実施の形態に係るガス絶縁開閉装置の上面図、図５は、本実施の形態に係るガス絶縁開閉装置の単線結線図、図６は、図１における主要機器の内部構成を示した図である。以下、図１〜図６を参照して、本実施の形態に係るガス絶縁開閉装置の構成について説明する。
【００１２】
本実施の形態に係るガス絶縁開閉装置は、遮断器１と、この遮断器１に接続された母線側のブッシング６と、遮断器１とブッシング６との間に配置された母線側の計器用変流器２と、遮断器１に接続された接地開閉器付の断路器４と、遮断器１と接地開閉器付の断路器４との間に配置された線路側の計器用変流器３と、接地開閉器付の断路器４と接続された線路側のブッシング７と、接地開閉器付の断路器４とブッシング７との間に接続された線路側接地用の接地開閉器５とを備えている。さらに、このガス絶縁開閉装置は、遮断器１の操作装置１０、接地開閉器付の断路器４の操作装置８、及び接地開閉器５の操作装置９を備えており、ガス絶縁開閉装置を構成する遮断器１等の各種機器は架台３０上に搭載され、架台３０は設置面４０上に載置されている。
【００１３】
なお、図示例のように、本実施の形態のガス絶縁開閉装置は例えば３相分離形であり、例えば遮断器１等の機器は各相について存在する。以下では、各相を区別することなく三相について共通の符号を付して説明する。また、図１では、ブッシング６及び計器用変流器２並びにブッシング７及び接地開閉器５等については、正確には手前側に傾斜した態様で図示すべきであるが（図２〜図４参照）、簡単のためそのような記載を省略している（後述の図７、図１３、図１８等についても同様）。
【００１４】
遮断器１は、概略Ｌ形の形状を有する。遮断器１のタンク（遮断器タンク）は、その軸線を水平にして配置され水平方向に延伸する円筒状のタンク本体と、このタンク本体の一端部の側面上部にて上方に引き出された引出口１ａ（第１の引出口）と、タンク本体の他端部にてタンク本体と同軸的に軸線方向に沿って水平に引き出された引出口１ｂ（第２の引出口）とを有している。上記Ｌ形の形状との対応では、引出口１ａがＬ形の一辺を構成し、タンク本体部分のうち引出口１ａ，１ｂ間の部分および引出口１ｂがＬ形の他辺を構成する。遮断器１の内部には、遮断部１ｃが設けられている。遮断部１ｃには、引出口１ａを通って上下に延伸する導体３５ａが接続されるとともに、引出口１ｂを通って水平に延伸する導体３５ｂが接続されている（図６）。導体３５ａ、遮断部１ｃ、導体３５ｂは遮断器１内の通電経路を構成し、この通電経路も概略Ｌ形となっている。つまり、遮断器１は、遮断部１ｃを含む通電経路が概略Ｌ形であることから、これに応じてそのタンク形状も上記のように概略Ｌ形となっている。遮断器１内には、例えば六フッ化硫黄ガス等の絶縁ガスが封入されている。操作装置１０は例えば引出口１ａが設けられた側に配置されている。操作装置１０は、遮断器１のタンク本体の軸線よりも下の部分が上の部分よりも大きく、その重心は当該軸線よりも下に位置している。操作装置１０は、遮断部１ｃの開閉操作に用いられる。
【００１５】
遮断器１の引出口１ａには母線側の計器用変流器２（第１の計器用変流器）が接続されている。すなわち、計器用変流器２は遮断器１の上部に配置されている。計器用変流器２は、導体３５ａを周回する環状のコイルを備えて構成され、導体３５ａを通流する電流を計測する。計器用変流器２の上部には母線側のブッシング６（第１のブッシング）が接続されて計器用変流器２の上部に配置されている。ブッシング６は図示しない主母線に接続される。計器用変流器２及びブッシング６は母線側機器群を構成する。
【００１６】
なお、図１では、計器用変流器２、引出口１ａ、及び遮断器１について、Ｌ形の通電経路４５をこれらに重ねて示している。
【００１７】
遮断器１の引出口１ｂには線路側の計器用変流器３（第２の計器用変流器）が接続されている。すなわち、計器用変流器３は、遮断器１のタンク本体と略同じ高さで遮断器１に水平に接続され、遮断器１に横置に配置されている。計器用変流器３は、導体３５ｂを周回する環状のコイルを備えて構成され、導体３５ｂを通流する電流を計測する。また、計器用変流器３には、遮断器１が接続された側と反対側に接地開閉器付の断路器４が接続されている。すなわち、接地開閉器付の断路器４は、計器用変流器３に対して横置されている。
【００１８】
接地開閉器付の断路器４は、遮断器接地用の接地開閉器と断路器本体とが一体的に構成されたものである。接地開閉器付の断路器４は、一台の操作装置８で、遮断器接地用の接地開閉器および断路器本体の二つの機器の操作を可能とする。これらの二つの機器が別体で構成されている場合は、それぞれを操作するための操作装置が必要となるのに対し、本実施の形態では操作装置の設置台数を一台削減することができる。接地開閉器付の断路器４では、操作装置８の操作により、断路器本体の入切、遮断器接地用の接地開閉器の入切を行うことができる。なお、断路器本体の入切および遮断器接地用の接地開閉器の入切は、例えば上下（縦）方向に動作する可動接触子を動作させることで実現することができる。
【００１９】
接地開閉器付の断路器４の上部には線路側のブッシング７（第２のブッシング）が接続され配置されている。ブッシング７は、図示しない送電線に接続される。また、接地開閉器付の断路器４とブッシング７との間の高さ位置には、線路側接地用の接地開閉器５が配置されている。接地開閉器５は、送電線（図示せず）の接地に利用される。計器用変流器３、接地開閉器付の断路器４、接地開閉器５及びブッシング７は線路側機器群を構成する。
【００２０】
このように、本実施の形態では、遮断器１を概略Ｌ形とし、遮断器１のタンク本体の水平な軸線に沿って引き出された引出口１ｂに計器用変流器３および接地開閉器付の断路器４を順次接続し、これらを遮断器１に対して横置で配置する構成とすることにより、機器の配置を低層化している。
【００２１】
また、機器の低層配置に応じて、ガス絶縁開閉装置のユニット長Ａを例えばユニット高さＢに等しくし、あるいはユニット高さＢ以上とすることができる（図１及び図２参照）。ここで、ユニット長Ａは、遮断器１のタンク本体の水平な軸線方向におけるガス絶縁開閉装置の長さである。
【００２２】
次に、本実施の形態の構成と対比するため、従来のガス絶縁開閉装置の構成例について説明する。図２３は、従来のガス絶縁開閉装置の側面図、図２４は、従来のガス絶縁開閉装置を母線側からみたときの図、図２５は、従来のガス絶縁開閉装置を線路側からみたときの図である。
【００２３】
従来のガス絶縁開閉装置は、軸線を水平にして配置されたいわゆる横形の遮断器１０１と、遮断器１０１の一端部の側面上部に設けられた一方の分岐引出口に接続され遮断器１の上部に配置された母線側の計器用変流器１０２と、計器用変流器１０２の上部に接続された母線側のブッシング１０６と、遮断器１０１の他端部の側面上部に設けられた他方の分岐引出口に接続され遮断器１の上部に配置された線路側の計器用変流器１０３と、計器用変流器１０３の上部に接続された接続タンク１５０と、接続タンク１５０に水平に接続された断路器１１２と、断路器１１２の下部に接続された遮断器接地用の接地開閉器１１３と、断路器１１２に水平に接続された接続タンク１５１と、接続タンク１５１の下部に接続された線路側接地用の接地開閉器１０５と、接続タンク１５１の上部に接続された線路側のブッシング１０７とを備えている。さらに、この従来のガス絶縁開閉装置は、遮断器１０１の操作装置１１０、断路器１１２の操作装置１１５、接地開閉器１１３の操作装置１１４及び接地開閉器１０５の操作装置１０９を備えている。従来のガス絶縁開閉装置を構成する遮断器１０１等の各種機器は架台１３０上に搭載され、架台１３０は設置面４０上に載置されている。
【００２４】
この従来のガス絶縁開閉装置では、遮断器１０１の上部に計器用変流器１０２及びブッシング１０６が積層配置されるとともに計器用変流器１０３および接続タンク１５０も積層配置されている。すなわち、母線側のみならず、線路側においても、遮断器１０１の上部に計器用変流器１０３および接続タンク１５０が接続され、これにより接続タンク１５０に接続された断路器１１２および接続タンク１５１等が遮断器１０１よりも上方に配置されている。そのため、従来のガス絶縁開閉装置では、機器配置が全体として高層化され、本実施の形態に比べて重心の高さが高くなる。
【００２５】
また、この従来のガス絶縁開閉装置では、計器用変流器１０３は、接続タンク１５０にフランジを介して接続されるが、この場合、計器用変流器１０３のタンクと接続タンク１５０との間に水平スペーサ等の絶縁物を介して接続する必要がある。これは、これらのタンク内に配置された導体（図示せず）により誘導された電流がこれらのタンク間にわたって流れると、計器用変流器１０３による導体の通流電流の計測誤差につながることから、計器用変流器１０３のタンクと接続タンク１５０とを絶縁取付することにより、計器用変流器１０３による計測精度を確保するためである。
【００２６】
これに対し、本実施の形態では、計器用変流器３は遮断器１に水平に接続され、さらに計器用変流器３には接地開閉器付の断路器４が水平に接続されているので、接続タンクを削減することができるとともに、計器用変流器３と接続タンクとの絶縁取付も不要となり、水平スペーサも設ける必要がない。
【００２７】
なお、図２６では、本実施の形態に係るガス絶縁開閉装置における通電経路の一部を示しており、詳細には、ブッシング６、計器用変流器２、遮断器１、及び計器用変流器３について、概略Ｌ形の通電経路４５を示している。他方、図２７では、従来のガス絶縁開閉装置における通電経路の一部を矢印で示しており、詳細には、ブッシング１０６、計器用変流器１０２、遮断器１０１、及び計器用変流器１０３について、概略Ｕ形の通電経路を示している。
【００２８】
以上説明したように、本実施の形態によれば、遮断器１を概略Ｌ形とすることにより、遮断器１に接続される機器の配置の低層化が実現され、耐震性を向上させことができる。      
【００２９】
また、本実施の形態では、従来のガス絶縁開閉装置のように計器用変流器１０３と接続タンク１５０とを絶縁取付する必要がない。これにより、接続タンクが不要となって部品点数が削減され、締結構造が簡素化され、水平スペーサの使用個数が削減されるといった効果がある。なお、タンク内に金属異物が混入した場合、水平スペーサにて沿面閃絡発生のおそれもあるので、水平スペーサの使用個数は少ないほうがより好ましい。
【００３０】
また、本実施の形態では、接地開閉器付の断路器４を用いているので、遮断器接地用の接地開閉器を別体で構成する場合に比べて、操作装置の設置台数が削減され、外装が簡素化される。なお、接地開閉器付の断路器４は、例えばその可動部が上下方向に動作する（縦動作）タイプのものを使用することができる。
【００３１】
実施の形態２．
図７は、本実施の形態に係るガス絶縁開閉装置の側面図、図８は、本実施の形態に係るガス絶縁開閉装置を線路側からみたときの図、図９は、本実施の形態に係るガス絶縁開閉装置を母線側からみたときの図、図１０は、本実施の形態に係るガス絶縁開閉装置の上面図、図１１は、本実施の形態に係るガス絶縁開閉装置の単線結線図、図１２は、図７における主要機器の内部構成を示した図である。なお、図７〜図１２では、図１〜図６と同一の構成要素には同一の符号を付している。以下では、図７〜図１２を参照して、主に実施の形態１との相違点を中心に説明する。
【００３２】
概略Ｌ形の遮断器１については実施の形態１と同様である。遮断器１の引出口１ａ（第１の引出口）に母線側の計器用変流器２（第１の計器用変流器）が接続され、この計器用変流器２の上部に線路側のブッシング６（第１のブッシング）が接続されている点も実施の形態１と同様である。
【００３３】
一方、本実施の形態では、線路側機器の接続構造は実施の形態１と異なり、遮断器１の引出口１ｂ（第２の分岐引出口）には接地開閉器付の断路器４が接続され、この接地開閉器付の断路器４の上部に線路側の計器用変流器１１（第２の計器用変流器）が接続されている。このように、接地開閉器付の断路器４は遮断器１に対して横置に配置されている。さらに、計器用変流器１１の直上に線路側のブッシング７（第２のブッシング）が接続されている。線路側接地用の接地開閉器５は、計器用変流器１１より下の高さ位置に配置されている。
【００３４】
このように、本実施の形態では、遮断器１を概略Ｌ形とし、遮断器１のタンク本体の水平な軸線に沿って引き出された引出口１ｂに接地開閉器付の断路器４を接続し、接地開閉器付の断路器４を遮断器１に対して横置で配置する構成とし、接地開閉器付の断路器４の上部に計器用変流器１１を配置している。これにより、図２３〜図２５に示す従来のガス絶縁開閉装置の構成と比較して、遮断器１に接続される機器の配置の低層化が実現され、耐震性を向上させることができる。
【００３５】
また、本実施の形態では、計器用変流器１１がブッシング７の直下に配置されている。ブッシング７は、絶縁物である碍子を備えて構成されているので、計器用変流器１１のタンクに流れる可能性のある誘導電流を抑制することが可能となる。実施の形態１で説明したように、従来のガス絶縁開閉装置では、計器用変流器１０３の計測精度を確保するために、計器用変流器１０３のタンクと接続タンク１５０との間に水平スペーサ等の絶縁物を介して接続する必要があるが、本実施の形態では、ブッシング７が絶縁物の役割を果たすので、別途接続タンク及び水平スペーサ等の絶縁物を設ける必要がない。これにより、接続タンクが不要となって部品点数が削減され、締結構造が簡素化され、水平スペーサの使用個数が削減される。
【００３６】
なお、実施の形態１では、計器用変流器３は遮断器１に隣接して接続されているので、計器用変流器２との組合せにより、遮断器１内で万が一の閃絡事故等が発生した場合に、それが実際に遮断器１内で発生したことを特定することができる。これに対して、本実施の形態では、計器用変流器１１と計器用変流器２との間に遮断器１の他、接地開閉器付の断路器４も配置されているので、事故発生位置が遮断器１内であるかどうかの判定を計器用変流器１１，２の計測値を用いて行うことは困難となるものの、機器の低層配置及び絶縁取付の簡素化等、上記で説明した効果を有している。本実施の形態のその他の構成および作用効果は実施の形態１と同様である。
【００３７】
実施の形態３．
図１３は、本実施の形態に係るガス絶縁開閉装置の側面図、図１４は、本実施の形態に係るガス絶縁開閉装置を線路側からみたときの図、図１５は、本実施の形態に係るガス絶縁開閉装置を母線側からみたときの図、図１６は、本実施の形態に係るガス絶縁開閉装置の上面図、図１７は、本実施の形態に係るガス絶縁開閉装置の単線結線図である。なお、図１３〜図１７では、図１〜図５と同一の構成要素には同一の符号を付している。以下では、図１３〜図１７を参照して、主に実施の形態１との相違点を中心に説明する。
【００３８】
実施の形態１では、計器用変流器３に略同じ高さで接地開閉器付の断路器４が接続されていた。本実施の形態では、計器用変流器３に略同じ高さで断路器１２が接続され、この断路器１２には遮断器接地用の接地開閉器１３が接続されている。つまり、本実施の形態では、接地開閉器１３は、断路器１２と別体で構成されている。そのため、断路器１２の操作装置１４が設けられると共に、接地開閉器１３の操作装置１５も設けられている。
【００３９】
本実施の形態は、断路器１２と接地開閉器１３が個別に設けられ、これに応じて操作装置１４と操作装置１５が個別に設けられていることを除けば、その他の構成および作用効果は、実施の形態１と同様である。
【００４０】
実施の形態４．
図１８は、本実施の形態に係るガス絶縁開閉装置の側面図、図１９は、本実施の形態に係るガス絶縁開閉装置を線路側からみたときの図、図２０は、本実施の形態に係るガス絶縁開閉装置を母線側からみたときの図、図２１は、本実施の形態に係るガス絶縁開閉装置の上面図、図２２は、本実施の形態に係るガス絶縁開閉装置の単線結線図である。なお、図１８〜図２２では、図７〜図１１と同一の構成要素には同一の符号を付している。以下では、図１８〜図２２を参照して、主に実施の形態２との相違点を中心に説明する。
【００４１】
実施の形態２では、遮断器１に略同じ高さで接地開閉器付の断路器４が接続されていた。本実施の形態では、遮断器１に略同じ高さで断路器１２が接続され、この断路器１２には遮断器接地用の接地開閉器１３が接続されている。つまり、本実施の形態では、接地開閉器１３は、断路器１２と別体で構成されている。そのため、断路器１２の操作装置１４が設けられると共に、接地開閉器１３の操作装置１５も設けられている。
【００４２】
本実施の形態は、断路器１２と接地開閉器１３が個別に設けられ、これに応じて操作装置１４と操作装置１５が個別に設けられていることを除けば、その他の構成および作用効果は、実施の形態２と同様である。
【００４３】
なお、実施の形態１〜４に限らず、一般に、上記の概略Ｌ形の遮断器１を設け、引出口１ａに母線側機器群を接続するとともに、引出口１ｂには線路側機器群を接続する構成とすることにより、少なくとも引出口１ｂに直接される機器は遮断器１と略同じ高さに配置されることとなるので、上記従来のガス絶縁開閉装置と比較した場合には、機器の配置の低層化が実現され、耐震性を向上させことができる。
【産業上の利用可能性】
【００４４】
以上のように、本発明は、ガス絶縁開閉装置として有用である。
【符号の説明】
【００４５】
１，１０１  遮断器
１ａ，１ｂ  引出口
１ｃ  遮断部
２，３，１１，１０２，１０３  計器用変流器
４  接地開閉器付の断路器
５，１３，１０５，１１３  接地開閉器
６，７，１０６，１０７  ブッシング
８，９，１０，１４，１５，１０９，１１０，１１４，１１５  操作装置
１２，１１２  断路器
３０，１３０  架台
３５ａ，３５ｂ  導体
４０  設置面
４５  通電経路
１５０，１５１  接続タンク
【図１】
2013186830.tif 000003
【図２】
2013186830.tif 000004
【図３】
2013186830.tif 000005
【図４】
2013186830.tif 000006
【図５】
2013186830.tif 000007
【図６】
2013186830.tif 000008
【図７】
2013186830.tif 000009
【図８】
2013186830.tif 000010
【図９】
2013186830.tif 000011
【図１０】
2013186830.tif 000012
【図１１】
2013186830.tif 000013
【図１２】
2013186830.tif 000014
【図１３】
2013186830.tif 000015
【図１４】
2013186830.tif 000016
【図１５】
2013186830.tif 000017
【図１６】
2013186830.tif 000018
【図１７】
2013186830.tif 000019
【図１８】
2013186830.tif 000020
【図１９】
2013186830.tif 000021
【図２０】
2013186830.tif 000022
【図２１】
2013186830.tif 000023
【図２２】
2013186830.tif 000024
【図２３】
2013186830.tif 000025
【図２４】
2013186830.tif 000026
【図２５】
2013186830.tif 000027
【図２６】
2013186830.tif 000028
【図２７】
2013186830.tif 000029
【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
三相分離形のガス絶縁開閉装置であって、
軸線を水平にして配置された筒状の遮断器タンク本体の一端部の側面上部にて上方に引き出された第１の引出口が設けられると共に前記遮断器タンク本体の他端部にて軸線方向に沿って水平に引き出された第２の引出口が設けられた遮断器タンクの内部に遮断部が配置されて通電経路が概略Ｌ形を成す各相の遮断器と、
前記各相の遮断器の前記第１の引出口に接続され当該各相の遮断器の上部に配置された各相の第１の計器用変流器と、
前記各相の第１の計器用変流器に接続され当該各相の第１の計器用変流器の上部に配置された各相の第１のブッシングと、
前記各相の遮断器の前記第２の引出口に接続され当該各相の遮断器に対して横置に配置された各相の第２の計器用変流器と、
前記各相の第２の計器用変流器に接続され当該各相の第２の計器用変流器に対して横置に配置されると共に断路器本体の入切および接地開閉器の入切が可動接触子を上下方向に直線駆動させることにより行われる各相の接地開閉器付の断路器と、
前記各相の接地開閉器付の断路器に接続され当該各相の接地開閉器付の断路器の上部に配置された各相の第２のブッシングと、
前記軸線を互いに平行にして前記軸線と直交する方向に水平に配列された前記三相の遮断器に対して共通に一台設けられ、前記三相の遮断器の前記軸線方向における前記一端部側で前記三相の遮断器に対して横置に配置され、その重心が前記軸線よりも下に位置すると共に、前記三相の遮断器を三相一括で操作が可能な遮断器の操作装置と、
前記三相の接地開閉器付の断路器に対して共通に一台設けられ、三相一括で前記断路器本体および前記接地開閉器の操作が可能な接地開閉器付の断路器の操作装置と、
を備え、
前記三相の遮断器のうちその配列方向の中央相の遮断器の前記第１および第２のブッシングは当該ガス絶縁開閉装置の設置面に対して垂直に伸びており、前記三相の遮断器のうちその配列方向の両端相の遮断器の前記第１および第２のブッシングは前記中央相の遮断器の前記第１および第２のブッシングに対して互いに逆方向に離れるように傾斜しており、
当該ガス絶縁開閉装置の前記軸線方向における長さはその高さ以上であることを特徴とするガス絶縁開閉装置。
【請求項２】
三相分離形のガス絶縁開閉装置であって、
軸線を水平にして配置された筒状の遮断器タンク本体の一端部の側面上部にて上方に引き出された第１の引出口が設けられると共に前記遮断器タンク本体の他端部にて軸線方向に沿って水平に引き出された第２の引出口が設けられた遮断器タンクの内部に遮断部が配置されて通電経路が概略Ｌ形を成す各相の遮断器と、
前記各相の遮断器の前記第１の引出口に接続され当該各相の遮断器の上部に配置された各相の第１の計器用変流器と、
前記各相の第１の計器用変流器に接続され当該各相の第１の計器用変流器の上部に配置された各相の第１のブッシングと、
前記各相の遮断器の前記第２の引出口に接続され当該各相の遮断器に対して横置に配置されると共に断路器本体の入切および接地開閉器の入切が可動接触子を上下方向に直線駆動させることにより行われる各相の接地開閉器付の断路器と、
前記各相の接地開閉器付の断路器に接続され当該各相の接地開閉器付の断路器の上部に配置された各相の第２の計器用変流器と、
前記各相の第２の計器用変流器に接続され当該各相の第２の計器用変流器の直上に配置された各相の第２のブッシングと、
前記軸線を互いに平行にして前記軸線と直交する方向に水平に配列された前記三相の遮断器に対して共通に一台設けられ、前記三相の遮断器の前記軸線方向における前記一端部側で前記三相の遮断器に対して横置に配置され、その重心が前記軸線よりも下に位置すると共に、前記三相の遮断器を三相一括で操作が可能な遮断器の操作装置と、
前記三相の接地開閉器付の断路器に対して共通に一台設けられ、三相一括で前記断路器本体および前記接地開閉器の操作が可能な接地開閉器付の断路器の操作装置と、
を備え、
前記三相の遮断器のうちその配列方向の中央相の遮断器の前記第１および第２のブッシングは当該ガス絶縁開閉装置の設置面に対して垂直に伸びており、前記三相の遮断器のうちその配列方向の両端相の遮断器の前記第１および第２のブッシングは前記中央相の遮断器の前記第１および第２のブッシングに対して互いに逆方向に離れるように傾斜しており、
当該ガス絶縁開閉装置の前記軸線方向における長さはその高さ以上であることを特徴とするガス絶縁開閉装置。
【国際調査報告】
2013186830.tif 000030
2013186830.tif 000031